【手続補正書】
【提出日】平成15年11月30日(2003.11.30)
【手続補正１】
【補正対象書類名】明細書
【補正対象項目名】全文
【補正方法】変更
【補正の内容】
【発明の名称】リサイクル用注射用針装置
【特許請求の範囲】
【請求項１】穿刺用部分から、注射用物質を内容する注射用容器又は注射用針連結用装置や注射用針連結用機構との着脱用部分まで、の注射用針全体を同一の物質で構成したことを特徴とする、注射用針。
【請求項２】請求項１の注射用針及び注射用物質を内容する注射用容器との着脱用装置又は着脱用機構、を構成としたことを特徴とする、注射用針着脱用装置。
【請求項３】請求項１の注射用針との着脱用装置又は着脱用機構、を構成としたことを特徴とする、注射用物質を内容する注射用容器。
【発明の詳細な説明】
【０００１】
【発明の属する技術分野】
この発明は、リサイクルが簡便にできる注射用針装置に関するものである。
【０００２】
【従来の技術】
従来のピストン式や点滴式などの注射器用の注射用針は、穿刺用部分との連結部分が金属製とプラスチック類製のものなど、異なった材質のもので構成されていた為に、注射用針をそのまま溶解して再利用することができなかった。
又、再利用の方法によっては、注射用針におけるプラスチック部分の色が変色して利用者の視覚的に見栄えが悪くなったりした。
【０００３】
【発明が解決しようとする課題】
この発明は従来の注射用針の利用における上記した問題点を解決する為の注射用針装置の提供を目的とする。
【０００４】
【課題を解決する為の手段】
上記目的を達成する為に、この発明の注射用針は、穿刺用部分から、注射用物質を内容する注射用容器又は注射用針連結用装置や注射用針連結用機構との着脱用部分まで、の注射用針全体を同一の物質で構成したことを特徴とする。
この発明の注射用針着脱用装置は、請求項１の注射用針及び注射用物質を内容する注射用容器との着脱用装置又は着脱用機構、を構成としたことを特徴とする。
この発明の注射用物質を内容する注射用容器は、請求項１の注射用針との着脱用装置又は着脱用機構、を構成としたことを特徴とする。
【０００５】
【作用】
この発明の注射用針は、穿刺用部分から、注射用物質を内容する注射用容器又は注射用針連結用装置や注射用針連結用機構との着脱用部分まで、の注射用針全体を同一の物質で構成したことにより、注射用針のリサイクル時に注射用針を溶解させても同じ材質の注射用針である為に他の物質と交じり合い難くすることができる。
この発明の注射用針着脱用装置は、請求項１の注射用針及び注射用物質を内容する注射用容器との着脱用装置又は着脱用機構、を構成としたことにより、注射用針に触れることなく注射用物質を内容する注射用容器から注射用針を取り外すことができ、前述の着脱用装置を他の注射用物質を内容する注射用容器に取り付けることができる。
この発明の注射用物質を内容する注射用容器は、請求項１の注射用針との着脱用装置又は着脱用機構、を構成としたことにより、注射用針に触れることなく注射用物質を内容する注射用容器から注射用針を取り外すことができる。
【０００６】
【実施例】
図１は請求項１の注射用針の図一例を示し、１は穿刺用部分付近であり、２は注射用針連結用装置や注射用針連結用機構との連結用の注射用針における着脱用部分である。２の形状はリング状やテーパー状の物や、注射用針の着脱用部分付近を分割又は注射用針と同一の物質を着脱用部分付近へ接合し注射用針を横から見た時にＴ字型や十字型などの形状に見える形態の物や、注射用針に凹凸を設けたものなど、その種類は限定されない。本発明の注射用針の構成物質が同一の物質により構成されるものであれば、穿刺用部分付近が従来形状の物やテーパー状に形成されるなど注射用針の形態や、注射用針の材質や構造など、その種類は限定されない。
図２は本発明の注射用針部分の図一例を示し、２’は２の部分における着脱用部分が注射用針連結用装置や注射用針連結用機構との連結部分を包囲して着脱するタイプの着脱用部分であり、従来のタイプにおいてプラスチック類などの材質で構成されていた部分が注射用針の穿刺部分の材質と同じ材質で構成された物の例を示したものである。本発明の注射用針における注射用針連結用装置や注射用針連結用機構との連結用の着脱用部分との着脱用部分は、注射用物質を内容する注射用容器への注射用針連結用装置や注射用針連結用機構を構成とする注射用針の連結装置又は連結機構に着脱するタイプの物であっても、注射用針が直接に注射用物質を内容する注射用容器に着脱できるものなど、その種類は限定されない。
図３は請求項２及び請求項３の注射用針着脱用装置の図一例を示し、３は注射用物質を内容する注射用容器に着脱する注射用針連結用装置や注射用針連結用機構部分又は注射用物質を内容する注射用容器部分であり、注射用針連結用装置や注射用針連結用機構部分の構造や形態や材質などその種類は限定されない。４は矢印の方向に可動させることにより、５の注射用針を着脱し固定する部分を矢印の方向に開閉させる為の、注射用針固定時のロック機構を構成とした５の可動用スイッチであるが、５を可動させる為に可動用スイッチを押す又は引く又は回すなどする可動用の方法や機構などその種類は限定されない。５は注射用針を固定する為の、５’の注射用針に密着して２の凸部付近のストッパーの役目をする構造部分と、５”の５の開口時に注射用針の後ろを押して注射用針が離れやすくする為の構造部分を構成とした注射用針を着脱する為の注射用針の固定用部分であるが、５の個数や配置や５の開口時に５のいずれかが注射針を支える物や５”の機能をする注射用針の押し出し部分を別に設けた物などそれらの構造や他の物や機能を組み合わせた物など、注射用針の着脱用装置の形態や構造や材質などその種類は限定されない。
又、本発明で用いる装置の着脱の方法やそれに用いる物の種類は限定されない。
以上、実施多例を説明したが、この発明は次の様な実施態様をとることができる。
（１）注射器は、ピストン式の物や点滴式の物など、その種類は限定されない。
（２）本発明の注射用針や注射用針着脱用装置の形態や構造や材質などその種類は限定されない。
（３）この発明で使用する注射用針又は注射用針着脱用装置又は注射用針着脱用機構において、本発明の注射用針や注射用針着脱用装置と他の複数の種類の注射用物質を内容する注射用容器との着脱用連結部分の形状を類似又は同一形状に形成し複数の注射用装置に互換性をもたせる、又は、他の装置や機能と組み合わせるなど、その種類は限定されない。
【０００７】
【発明の効果】
この発明の注射用針は、穿刺用部分から、注射用物質を内容する注射用容器又は注射用針連結用装置や注射用針連結用機構との着脱用部分まで、の注射用針全体を同一の物質で構成したことにより、注射用針のリサイクル時に注射用針を溶解させても同じ材質の注射用針である為に他の物質と交じり合い難くすることができる為に、注射用針のリサイクルが行いやすくなる効果を有する。
この発明の注射用針着脱用装置は、請求項１の注射用針及び注射用物質を内容する注射用容器との着脱用装置又は着脱用機構、を構成としたことにより、注射用針に触れることなく注射用物質を内容する注射用容器から注射用針を取り外すことができ、前述の着脱用装置を他の注射用物質を内容する注射用容器に取り付けることができる為に、注射用針の使用者が直接針に手で触れることなく注射用針を注射器から取り外すことができる。
この発明の注射用物質を内容する注射用容器は、請求項１の注射用針との着脱用装置又は着脱用機構、を構成としたことにより、注射用針に触れることなく注射用物質を内容する注射用容器から注射用針を取り外すことができる為に、注射用針の使用者が直接針に手で触れることなく注射用針を注射器から取り外すことができる。
【図面の簡単な説明】
【図１】請求項１の注射用針一例の図
【図２】本発明の注射用針部分一例の図
【図３】請求項２及び請求項３の注射用針着脱用装置一例の図
【符号の説明】
１…穿刺用部分付近  ２…注射用針における着脱用部分  ３…連結用装置部分  ４…５の可動用スイッチ  ５，５’，５”…着脱用装置又は着脱用機構における着脱用部分


【手続補正２】
【補正対象書類名】図面
【補正対象項目名】全図
【補正方法】変更
【補正の内容】
【図１】
2004089651.tif 000001
【図２】
2004089651.tif 000002
【図３】
2004089651.tif 000003